(57)【要約】【課題】  表紙と綴じ具とリフィルから成るバインダー式ノートあるいは穴を開けてとじるファイル式ノートにおいて、表紙内部に設けられた綴じ具に綴じたリフィルを、綴じ具に綴じたまま表紙の外側で使用することができるようにする。【解決手段】  表紙と綴じ具とリフィルから成るバインダー式ノートあるいは穴を開けてとじるファイル式ノートの表紙に一つあるいは複数の開口を設け、リフィルを表紙外側から該開口を挿通して表紙内側の綴じ具に綴じる構造とする。【選択図】図１
2018126988.tif 000002
【特許請求の範囲】
【請求項１】
表紙に一つあるいは複数の開口を持ち、表紙の外側から該開口を通して、表紙内側の綴じ具でリフィルを綴じることを特徴とするバインダー式ノートあるいは穴を開けてとじるファイル式ノート。
【請求項２】
請求項１のバインダー式ノートあるいは穴を開けてとじるファイル式ノートに供する綴じ具と一つあるいは複数の開口が設けられた表紙をもつバインダー単体あるいは穴を開けてとじるファイル単体。
【請求項３】
請求項１のバインダー式ノートあるいは穴を開けてとじるファイル式ノートに供する表紙の外側から表紙の開口に挿通して綴じるリフィル単体。
【請求項４】
請求項１のバインダー式ノートあるいは穴を開けてとじるファイル式ノートに供するリフィルを構成する挿通部の部位単体と本体部の部位単体。
【発明の詳細な説明】
【技術分野】
【０００１】  本発明は、バインダーあるいは穴を開けてとじるファイルと、該バインダーあるいは該穴を開けてとじるファイルに綴じるリフィルに係り、特に該バインダーあるいは該穴を開けてとじるファイルの表紙内側に設けられた綴じ具に綴じたリフィルを、綴じたまま表紙外側で使用できる構造に関する。
【背景技術】
【０００２】  従来から、バインダーあるいは穴を開けて綴じるファイルは、表紙部分と綴じ具により構成されている。綴じ具は、表紙内側に設けられ、開閉ができる。これによりリフィルを綴じることができる、あるいは差し替えることができる。また、リフィルは、綴じ具に綴じるための綴じ穴を持ち、紙葉状の帳票類や、筆記具やカードを収納することができるシート状のものあるいは袋状のものなどがある。これによりバインダーあるいは穴を開けてとじるファイルにリフィルを綴じたバインダー式ノートあるいは穴を開けてとじるファイル式ノートは、帳票類や筆記具やカードなどを一緒に持ち運びができる。これらの利便性から広く使用されている。（非特許文献参照）しかしながら、急にメモを取る必要性が発生したときなど、表紙を開きリフィルにメモをとるなどの手間が掛かるという問題があった。【０００３】  一方で、リフィルにフックを設けて、フックで綴じ具に係留するものが考案（特許文献１参照）され、表紙を開かずにリフィルを取り出すことができるが、背表紙の幅より大きいものはフックで係留することができないという問題があった。【０００４】  また、表紙内側に設けた綴じ具を、綴じ具部と綴じ具取り付け部で構成し、綴じ具部を表紙に取り付け、綴じ具取り付け部のみをバインダーあるいはファイルから取り出せる構造をもつバインダーあるいはファイルがある。（特許文献２参照）これによれば、全てのリフィルシートを一度に取り出す、あるいは差し替えることができ、収納している全リフィルシートの交換時間の短縮が図れるが、リフィルの一部を取り出すことができないので急にメモを取る時など不便であった。
【先行技術文献】
【非特許文献】
【０００５】
【非特許文献１】日本ファイル・バインダー協会ホームページ、ｈｔｔｐ：／／ｗｗｗ．ｊ−ｆｂａ．ｊｐ／
【特許文献】
【０００６】
【特許文献１】実用新案出願公開番号  実開平６−５７６６７
【特許文献２】特許出願公開番号  特開２０１６−１２４２０１
【発明の概要】
【発明が解決しようとする課題】
【０００７】  発明者は、バインダー式ノートあるいは穴を開けてとじるファイル式ノートとリフィルの利便性と多用途性に着目し、リフィルを綴じたまま表紙の外側で使用でき、また、リフィルの娯楽性を活用できるバインダー式ノートあるいは穴を開けてとじるファイル式ノートの構造を提供するものである。
【課題を解決するための手段】
【０００８】  上記目的を達成する本発明のバインダー式ノートあるいは穴を開けてとじるファイル式ノートは、表紙と綴じ具と差し替え可能なリフィルから成り、表紙には開口が設けられ、差し替え可能なリフィルの一部が表紙外側から開口に挿通され、表紙内側の綴じ具で綴じられる構造を持つ。
【発明の効果】
【０００９】  このバインダー式ノートあるいは穴を開けてとじるファイル式ノートによれば、表紙の内側に設けられた綴じ具によって綴じられたリフィルを、開口を通して表紙の外側に出すことができる。これにより急いでメモを取りたい時など、あらかじめ外側に出ているリフィルにメモを取ることができる。【００１０】  また、リフィルに立体的なふくらみを持ったものも収納できる。これによりぬいぐるみ様の形態も綴じることができるため娯楽性を高めることできる。
【図面の簡単な説明】
【００１１】
【図１】  実施例１のバインダー式ノートの斜視図
【図２】  実施例１のバインダー式ノートの表紙の内側の平面図
【図３】  実施例１のバインダー式ノートのリフィルシートの表紙側の平面図
【図４】  実施例２のバインダー式ノートの斜視図
【図５】  実施例３のバインダー式ノートの斜視図
【発明を実施するための形態】
【００１２】  本発明の一実施例を説明する。図１は、本発明の実施例１の斜視図を示している。図２は実施例１の表紙の内側の平面図、図３は実施例１のリフィルの表紙側の平面図を示している。図４は実施例２の斜視図を、図５は実施例３の斜視図を示している。また、実施例１、実施例２、実施例３ともにバインダー式ノートを示しているが、バインダー式ノートを、穴を開けてとじるファイル式ノートに置き換えてもいい。
【実施例１】
【００１３】  図１、図２、図３をもとにバインダー式ノートの実施例１を説明する。該バインダー式ノートは、表紙１と綴じ具２から成り、表紙１に開口４を設ける。図１、図２、図３は開口４を１つ設けたものであるが、複数設けることもできる。リフィル３は、リフィルの挿通部５とリフィルの本体部６から成り、挿通部５と本体部６は綴じ具７で連結されている。これにより、挿通部と本体部を分離することが出来る。挿通部５に、綴じ具２のピン配置およびピン間隔に合わせた綴じ穴８を設ける。リフィル３の挿通部５を、表紙１の外側から開口４に挿入し、表紙１の内側の綴じ具２で綴じる。これによると、表紙の外側に出さないリフィル４１を綴じながら、リフィル３を表紙１の外側に出すことができ、表紙１を閉じたままリフィル３を使うことができる。リフィル３の本体部６は、メモ用紙を収納できる切込み１０があり、メモ用紙を差し込むことができる。また、リフィル３の表紙側には、ペンホルダー１１、カードホルダー１２が設置されている。これにより、急いでメモを取りたい時、表紙を開ける手間を省いて、すぐにメモを取ることができる。
【実施例２】
【００１４】  図４は、実施例２のリフィル２１を用いた本発明のバインダー式ノートの斜視図を示している。図４をもとにバインダー式ノートの実施例２を説明する。表紙１と綴じ具２は実施例１と同一のものを使用している。リフィル２１は、実施例１と同様にリフィルの挿通部２２とリフィルの本体部２３とから成り、表紙外側から表紙内部の綴じ具２によって綴じられる。リフィル２１の本体部２３は、箱状の形態であり、開閉部２４とその留め具２５を持ち、箱状の形態の内部にペンホルダー２６を備えている。また、リフィル２１と表紙１を固定する表紙とリフィルの留め具２７を設けている。これによれば、表紙１とリフィル２１を固定することができ、筆記具や小物を安定して持ちは運ぶことができるようになる。
【実施例３】
【００１５】  図５は、実施例３のリフィル３１を用いた本発明のバインダー式ノートの斜視図を示している。図５をもとにバインダー式ノートの実施例３を説明する。表紙１と綴じ具２は実施例１と同一のものを使用している。リフィル３１は、実施例１と同様に、リフィル３１の挿通部３２とリフィル３１の本体部３３から成り、表紙１の外側から挿入され、内側の綴じ具２によって綴じられている。リフィル３１の本体部３３の形状は、背表紙９の幅より大きく立体的な形態をしている。また、挿入口３４を備えている。これによれば、リフィル３１が背表紙９の幅より大きくなっても表紙１を損傷することなく収納でき、また、挿入口３４を通して筆記具などを収納することができる。これにより、バインダー式ノートに小物などを収納しながら、外観を視覚的に楽しむことができる。また、リフィル３１を交換することでいろいろな外観を容易に楽しむこともできる。
【産業上の利用可能性】
【００１６】  バインダー、穴を開けてとじるファイル、バインダー用リフィル、穴を開けてとじるファイル用リフィル、ぬいぐるみ様の玩具
【符号の説明】
【００１７】１    表紙
２    綴じ具
３    リフィル（実施例１）
４    開口（表紙内の部位）
５    挿通部（実施例１のリフィル内の部位）
６    本体部（実施例１のリフィル内の部位）
７    綴じ具（リフィル内の部位、挿通部と本体部を連結する綴じ具）
８    綴じ穴（挿通部内の部位）
９    背表紙（表紙の部位）
１０  切込み（実施例１のリフィル内の部位）
１１  ペンホルダー（実施例１のリフィル内の部位）
１２  カードホルダー（実施例１のリフィリ内の部位）
２１  リフィル（実施例２）
２２  挿通部（実施例２のリフィル内の部位）
２３  本体部（実施例２のリフィル内の部位）
２４  開閉部（実施例２のリフィル内の部位）
２５  留め具（実施例２のリフィル内の部位）
２６  ペンホルダー（実施例２のリフィル内の部位）
２７  表紙とリフィルの留め具（実施例２）
３１  リフィル（実施例３）
３２  挿通部（実施例３のリフィル内の部位）
３３  本体部（実施例３のリフィル内の部位）
３４  挿入口（実施例３のリフィル内の部位）
４１  表紙の外側に出さないリフィル
【図１】
2018126988.tif 000003
【図２】
2018126988.tif 000004
【図３】
2018126988.tif 000005
【図４】
2018126988.tif 000006
【図５】
2018126988.tif 000007